(57)【要約】      （修正有）【課題】ゴキブリ捕獲器の内部が見えにくいゴキブリ捕獲器を提供する。【解決手段】ゴキブリ捕獲器１は、天板２、側板３、底板４からなり、底板４は剥離紙、粘着面７、誘引剤９で構成される。左右にある天板２の差込口を、差し込み受けに差し込むと、直方体で台形のゴキブリ捕獲器１が形成される。側板３の側面の両端より内に、側板３の側面の上部から下部に向けて縦、あるいは斜め横に切れ込みを入れ、上部同士を側板３の側面から横に向け平行に切り離し、大型進入口５を形成する。組立てた際に、大型進入口５の切り離した上部分が、外面から内面に反転展開して地面に付き、ゴキブリの侵入経路を作り、側板３の大型進入口５から切り離された部分はゴキブリの侵入用の窓となる。ゴキブリは、ゴキブリ捕獲器１の内部にある誘引剤９で誘引され、地面より続く大型進入口５の侵入経路から侵入し、内部の底面にある粘着面７にて捕獲される。【選択図】図２
2018198589.tif 000002
【特許請求の範囲】
【請求項１】
ゴキブリ捕獲器の側板の側面の両端より内に、側板の側面の上部から下部に向けて縦、あるいは斜め横に切れ込みを入れ、側板の側面より内に切れ込みを入れた上部同士を、側板の側面から横に向け平行に切り離し、大型進入口を形成する事を特徴とするゴキブリ捕獲器
【請求項２】
ゴキブリ捕獲器を組立てた際に、大型進入口の切り離した上部分が、外面から内面に反転展開して地面に付き、ゴキブリの侵入経路を作り、側板の大型進入口から切り離された部分はゴキブリの侵入用の窓となる事を特徴とする請求項１記載のゴキブリ捕獲器。
【発明の詳細な説明】
【技術分野】
【０００１】  本考案は、紙を使用した組み立て式のゴキブリ捕獲器に関する。
【背景技術】
【０００２】  従来の、一般的なゴキブリ捕獲器としては、図３のような紙製の組み立て式のゴキブリ捕獲器が上げられる。【０００３】  材質は一枚の紙からなり、それぞれ天板になる面、側板になる面、底板になる面で構成され、これらを組み立てる事により、ゴキブリ捕獲器として使用できる。【０００４】  紙製のゴキブリ捕獲器は、平面状の一枚の紙で構成されており、左右の一番端にある天板面には、それぞれ差込口と差し込み受けがあり、差込口を差込受けに差し込む事で直方体で台形のゴキブリ捕獲器が形成される。【０００５】  側板面は、天板面の次にあり、ゴキブリの進入口となる大型進入口がカットされており、また大型進入口がカットされた型に合わせて、屋根になる部分が設けられている。【０００６】  側板面は、天板面の左右にある差込口を、差し込み受けに差し込むと同時に、側板面が内側へと斜めに傾き、側板にカッティングされた大型進入口が、平行して上部へと開き、屋根部分と大型進入口に展開する構造になっている。【０００７】  また、大型進入口を、底面から一定の高さの位置にする事により、ゴキブリの進入しやすい角度を設けると同時に、ゴキブリが粘着面に侵入した際の返しを兼用する構造にもなつている。【０００８】  小型進入口は、底板面の上下に配置されており、天板面の組み立ての際に、天板面の角部分と繋がる小型進入口の側面部分が、連動して内側に押し込まれ、小型進入口を内側に下り曲げる構造と、手動にて小型進入口を内側に折り曲げて組み立てるパターンがある。【０００９】  底板面は、組み立て前のゴキブリ捕獲器の中央に位置し、剥離紙と粘着面が備わっている。【００１０】  底板面の剥離紙を剥がし、粘着面を露出させ、粘着面の中央部に誘引剤を置く事で、ゴキブリ捕獲器として完成する。【００１１】  ゴキブリは、誘引剤の匂いに惹かれ、ゴキブリ捕獲器の大型進入口、もしくは小型進入口から、ゴキブリ捕獲器の内部に侵入し、ゴキブリ捕獲器の底面の粘着面に触れると身動きが取れなくなり、ゴキブリ捕獲器で捕獲される事になる。【００１２】  一方で、ゴキブリ捕獲器に捕獲されたゴキブリは、進入口の窓から丸見えとなる為、人によっては不快に感じる原因ともなる。
【発明の開示】
【発明が解決しようとする課題】
【００１３】  ゴキブリ捕獲器の内部が見えにくいゴキブリ捕獲器を提供する。
【課題を解決する為の手段】
【００１４】  ゴキブリ捕獲器１は、天板２、側板３、底板４からなり、底板４は剥離紙８、粘着面７、誘引剤９で構成される。ゴキブリ捕獲器１の左右にある天板２の差込口１２を、差し込み受け１３に差し込むと、直方体で台形のゴキブリ捕獲器が形成される。ゴキブリ捕獲器１の側板３の側面の両端より内に、側板３の側面の上部から下部に向けて縦、あるいは斜め横に切れ込みを入れ、側板３の側面より内に切れ込みを入れた上部同士を、側板３の側面から横に向け平行に切り離し、大型進入口５を形成する。ゴキブリ捕獲器１を組立てた際に、大型進入口５の切り離した上部分が、外面から内面に反転展開して地面に付き、ゴキブリの侵入経路を作り、側板３の大型進入口５から切り離された部分はゴキブリの侵入用の窓となる。ゴキブリは、ゴキブリ捕獲器１の内部にある誘引剤９で誘引され、地面より続く大型進入口５の侵入経路からゴキブリ捕獲器１へ侵入し、ゴキブリ捕獲器１内部の底面にある粘着面７にて捕獲される。
【発明の効果】
【００１５】  本考案のゴキブリ捕獲器では以下の効果がある。
【００１６】  第一にゴキブリ侵入用の窓を、斜め内下向きに設けることで、ゴキブリ捕獲器の内部を見えにくくする効果がある。
【００１７】  従来式では、ゴキブリ侵入用の窓は斜め外上向きである為、ゴキブリ捕獲器の内部は窓から丸見えになっていた。
【００１８】  その為、捕獲されたゴキブリが窓から見えて不快な面もあった。
【００１９】  本考案のゴキブリ捕獲器では、ゴキブリ侵入用の窓は、斜め内下向きの為、ゴキブリ捕獲器にゴキブリが捕獲されても、中を見ることは容易にはできない。
【００２０】  第二に、ゴキブリ侵入口を地面に接する事で、大型のゴキブリから小型のゴキブリまで捕獲することができる。
【００２１】  従来式では、ゴキブリの侵入口は、地面にじかに接するのではなく、ゴキブリ捕獲器を内側に折り曲げて大型進入口の角度を作る為に、どうしても地面とゴキブリ捕獲器の大型進入口との間に浮きができてしまい、小型のゴキブリの捕獲が難しくなる。
【００２２】  また、ゴキブリ捕獲器の外面は染料で塗装される為、ゴキブリが滑りやすい構造にもなっている。
【００２３】  本考案のゴキブリ捕獲器では、ゴキブリ進入口５の端を、地面にじかに接する事ができる為、小型のゴキブリでも侵入しやすい経路ができる。
【００２４】  更に、ゴキブリ捕獲器を組み立てた際に、ゴキブリの侵入経路になる大型進入口５は、塗装のされている外面から、塗装のされてない内面へ反転して切り替わる為、ゴキブリが滑りにくい構造にもなる。
【発明を実地する為の最良の形態】
【００２５】  ゴキブリ捕獲器１から、剥離紙８を引き剥がし、粘着面７を露出させる。粘着面７の中央部に誘引剤９を設置する。
【００２６】  ゴキブリ捕獲器１の、底板の上下にある小型進入口６を、それそれ内側へと折る。
【００２７】  ゴキブリ捕獲器１の、左右にある天板２を内側へと折りたたみ、天板２の差込口１２を差込受け１３に差込むと、直方体で台形のゴキブリ捕獲器が形成される。
【００２８】  この際に、底板４より側板３へと繋がる、立ち上がり片１０が起こされ、山状に折り曲がり、ゴキブリ捕獲器１の内部にある粘着面７の側面に、ゴキブリ返し用の段差が作られる。
【００２９】  立ち上がり片１０が起こされると、折り曲げ片１１が下部へと折り曲がり、カッティングされた大型進入口５が外面から内面に反転して展開され、反転された内面の大型進入口５の端が地面に密着し、大型進入口５と地面を繋げるゴキブリの侵入経路ができる。
【００３０】  大型進入口５が展開されると同時に、側板３の大型進入口５より切り離された部分が、ゴキブリ侵入用の窓となる。
【００３１】  半円形状にカットされたツマミ１４を起こすことで、ツマミ１４が取っ手になる。
【００３２】  （００２５）〜（００３１）により、ゴキブリ捕獲器が組み立てられる。
【００３３】  組み立てたゴキブリ捕獲器は、台所の隅や流し台の下など、ゴキブリの発生源になる場所に設置すると良い。
【図面の簡単な説明】
【００３４】
【図１】  ゴキブリ捕獲器を示した展開図である。
【図２】  ゴキブリ捕獲器を示した側面断面図である。
【図３】  従来のゴキブリ捕獲器を示した側面断面図である。
【符号の説明】
【００３５】１  ゴキブリ捕獲器
２  天板
３  側板
４  底板
５  大型進入口
６  小型進入口
７  粘着面
８  剥離紙
９  誘引剤
１０  立ち上がり片
１１  折り曲げ片
１２  差込口
１３  差し込み受け
１４  ツマミ
【図１】
2018198589.tif 000003
【図２】
2018198589.tif 000004
【図３】
2018198589.tif 000005